(57)【要約】      （修正有）【課題】建設廃棄物から廃アスコン塊を選別分離する廃アスコン分離装置を提供する。【解決手段】本考案にかかる廃アスコン分離装置は，破砕された建設廃棄物を移送面上に拡散させ移送する移送路２２と；前記移送路に設けられ，移送される破砕物中から廃アスコン塊を認識する検出部と；認識された廃アスコン塊に対して加圧流体を噴射して，前記移送路から分離させる加圧流体噴射部２４とを備えている。【選択図】図３ａ
0003103593.tif 000002
【実用新案登録請求の範囲】
【請求項１】
破砕された建設廃棄物を移送面上に拡散させ移送する移送路と；
前記移送路に設けられ，移送される破砕物中から廃アスコン塊を認識する検出部と；
認識された廃アスコン塊に対して加圧流体を噴射して，前記移送路から分離させる加圧流体噴射部と；
を備えたことを特徴とする，建設廃棄物の廃アスコン分離装置。
【請求項２】
前記検出部は，廃アスコンに対応するアスファルト色相および／または化学反応を検出して，廃アスコン塊を認識することを特徴とする，請求項１に記載の建設廃棄物の廃アスコン分離装置。
【請求項３】
前記建設廃棄物は，実質的に粒径５０ｍｍ以下に破砕されて，移送路面上に拡散されることを特徴とする，請求項１または２に記載の建設廃棄物の廃アスコン分離装置。
【考案の詳細な説明】
【技術分野】
【０００１】
本考案は，建物廃棄物から廃アスコンのみを選別・分離するための処理装置に関し，特に，廃コンクリートや土砂など各種の廃棄物が混在する建設廃棄物の一般的な処理過程において，有用材としてリサイクル可能な廃アスコンのみを選別して分離することが可能な廃アスコン中間処理装置に関する。
【背景技術】
【０００２】
近年，様々な用途と機能により産業社会で注目を集めているアスコン（Ａｓｃｏｎ），すなわちアスファルトコンクリート混合物は，その固有の特性と有用性によっていろいろの分野で幅広く適用されている。
【０００３】
例えば，道路舗装材としてのアスコンは，伝統的な固有の機能のみならず，さらに一段階進んだ各種の付加的な機能（すなわち，滑り止め機能（ｎｏｎ−ｓｌｉｐ），透水機能及びカラー機能など）を加えて，歩道／車道用だけでなく，最近では，自転車道路や広場などにも幅広く施工され，利用者の安楽さ，安全性及び視覚的な満足感を提供している。
【０００４】
ところが，アスコンは，基本的に人体に有害な化学的副産物のアスファルトを主な構成要素としているため，一般に無機物から構成されて人体に無害な一般建設廃棄物とは異なる取り扱いが必要であるという特有性を持っている。
【０００５】
すなわち，廃アスコンの放置は，土壌や水質，空気などと関連して激しい汚染をもたらす主犯であるうえ，自然生態系を破壊して動・植物の成長などを阻害するおそれがあるため，今日の産業社会で至急解決すべき環境問題として浮上しつつあるのが実情である。
【０００６】
従って，かかる問題を解決するには，アスコンの製造と施工段階だけでなく，施工以後の段階においても，別途の再処理のための後続的な処理工程が設けられるべきであるが，その開発過程，工程及び装置の追加，そして費用の増加が，アスコン使用時に得られる有用性に比べてさらに大きい可能性もあるという問題点を含んでいる。
【０００７】
このような理由により，建設工事によって道路の新設舗装を行ったり，あるいは別途の施設工事や改修・補修工事などによってアスコンを撤去してから再舗装作業を行ったりする場合，前記の問題点は工事主体者にとっては大きい負担になっている。
【０００８】
しかし，従来，廃アスコンをリサイクルするための方法は，非常に制限的な範囲内で提案されるのみであった。より効果的な廃アスコンの選別分離およびリサイクル方法が，建設廃棄物の再処理事業で最も解決されるべき懸案であると言われて久しいが，依然として，廃アスコンを処理するための適切な方法は，提示されておらず，撤去された廃アスコンのほとんどは，収集後に，半永久的に埋め立てられているのが実情である。
【０００９】
これに対し，廃アスコンと共に一時建築廃棄物のほとんどを占めていた廃コンクリートは，発達した資源再処理技術により，排出量の６０％以上が新しい建築資材としてリサイクルされており，その量が段々増加するものと予想されている。
【００１０】
幾年の間，このような廃コンクリートの再処理方法は，破砕用クラッシャと選別スクリーンの発達によって飛躍的に増加したが，その中の多くの技術が既に新規の特許出願あるいは建設及び環境新技術として開示されている。
【００１１】
ところが，同じ建設廃棄物である廃コンクリートに比べて，廃アスコンのリサイクル方法は，依然足踏み状態から脱しておらず，これに関連した国内外特許出願のほとんども枝葉末節的な活用技術の改善にのみ焦点が合わされている。
【００１２】
その理由は，混在した建設廃棄物から特に廃アスコンのみを選別して分離する自動化方法がこれまで開発されておらず，そのほとんどを作業者の視覚による手作業に依存せざるを得ないという問題点のため，廃アスコンを効率よく再処理することができないことにある。
【００１３】
このため，廃コンクリートと共に廃アスコンが一括的に取り扱われる他はないという現実的な問題に直面することになる。
【００１４】
したがって，廃アスコンを選別・分離する方法を設けることにより，アスファルトと骨材を有用な建築材料としてリサイクルすることさえ可能であれば，これは，資源の効率的な利用，国土保全及び快適な生活の保障という面においてその波及効果が非常に大きいものと予想される。
【００１５】
特に，廃アスコンに関する廃棄物処理関連法の改正立法は，政府内の関連部局と廃棄物処理会社の認識転換及び技術開発に十分な動機を与えるものと判断される。
【考案の開示】
【考案が解決しようとする課題】
【００１６】
そこで，本考案の目的は，一般建設廃棄物から特に廃アスコンのみを一定の粒径単位別に選別・分離可能にすることにある。
【００１７】
また，本考案の他の目的は，廃アスコンの分離によって高純度の廃コンクリートのみの収集も可能とすることにある。
【課題を解決するための手段】
【００１８】
上記目的は，一般建設廃棄物とは区分される廃アスコンのみの特徴に基づいた高度の検出方法とその取出手段によって達成できる。
【００１９】
すなわち，上記課題を解決するために，本考案によれば，破砕された建設廃棄物を移送面上に拡散させ移送する移送路と；前記移送路に設けられ，移送される破砕物中から廃アスコン塊を認識する検出部と；認識された廃アスコン塊に対して加圧流体を噴射して，前記移送路から分離させる空気噴射ノズルなどの加圧流体噴射部と；を備えたことを特徴とする，建設廃棄物の廃アスコン分離装置が提供される。
【００２０】
前記検出部は，廃アスコンに対応するアスファルト色相および／または化学反応を検出して，廃アスコン塊を認識するように構成することが好ましい。
【００２１】
また，前記建設廃棄物は，実質的に粒径５０ｍｍ以下に破砕されて，移送路面上に拡散されることが好ましい。
【００２２】
より具体的には，本考案は，ホッパーと，ジョークラッシャからなる１次破砕機と，磁選機と，平板スクリーンまたは円形のトロンメルからなる１次選別機と，洗浄槽と，再循環路と，２次破砕機と，２次選別機と，再循環路とを含んでなる建設廃棄物の再処理装置において，前記２次選別機を経て案内された建設廃棄物が均一に広がって移送できるように動力発生手段により正逆回転する正逆回転部を含む拡開ベースと，前記ベースからスライドされる建設廃棄物が投入されて一方向に進めるようにコンベヤ連動あるいは自重落下のスライディング方式を取る複数の移送路と，前記各移送路の上側に設けられ，廃アスコン特有のアスファルト色相または化学反応別に近距離検出して認識する電子式検出部と，移送路の上側に位置し，前記検出部からの印加された電気式信号によって，隣接した廃アスコン塊を向かって瞬間的に高圧の空気また液体を噴射することにより，廃アスコン塊のみを移送路の外に逸脱させる複数の空気噴射ノズルと，廃アスコンの選別と分離作業を表示するスクリーンモニタと，前記分離排出された廃アスコンと廃コンクリートがそれぞれ別途に収集されて保管された後リサイクルできるようにする排出路とをさらに含んでなる，建設廃棄物の廃アスコン分離装置を提供する。
【考案の効果】
【００２３】
本考案の廃アスコン分離装置によれば，各種の建設廃棄物と共に一括的に排出される化学的副産物としての廃アスコン塊が，廃コンクリート塊とは明確に選別・分離されて排出できるので，環境保存に寄与しながらも廃アスコンのみの有用材としての活用が可能になる。
【００２４】
すなわち，分離排出される廃アスコンは，アスファルト，粗骨材，細骨材及び舗装用充填材が加熱または常温状態で混合された廃棄物塊であって，建設廃棄物の中間処理に深刻な障害要因として機能したが，これを一般建設廃棄物から別途に分離してリサイクルできるようにする方法の土台を設けることが可能なので，その産業上の有用性は非常に大きいものと判断される。
【考案を実施するための最良の形態】
【００２５】
以下，本考案に係る廃アスコン分離装置の好適な実施例を添付図に基づいて詳細に説明する。
【００２６】
図１は，廃アスコンを選別分離するための工程図，図２ａ及び図２ｂはその処理装置をより具体的に示した図である。
【００２７】
まず，本考案の廃アスコン分離装置は，建設廃棄物の投入工程Ｓ１０２において，収集された各種の建設廃棄物を一定容量のホッパー１０に投入する。このように投入された建設廃棄物を，建設廃棄物の第１は際および選別工程Ｓ１０４において，１次破砕機１１のジョークラッシャによって一定のサイズに破砕した後，その破砕物を移送コンベヤに積置させて次の工程に移送する。その移送過程中に，磁選機１２を用いて鉄筋や釘などの金属材が適切に除去できるようにする。
【００２８】
この際，磁選機１２は，移送経路毎に１つあるいは複数適切に配置できるが，これは作業過程によって選択可能な仕様に過ぎない。
【００２９】
このように破砕されて移送された建設廃棄物は，平板振動式あるいは円形トロンメル式の１次選別機１３に投入され，土砂と共に一定の粒径以下の破砕物から分離できるようにするが，特に選別作業の円滑さを実現すると共に廃ビニールや繊維欠片なども一括的に分離処理できるように，複数の送風機１３ａによるエアブロアーシステムが稼動できるように配慮する。
【００３０】
その後，選別された廃棄物は，洗浄工程Ｓ１０６において，移送経路に設けられた洗浄槽１４に投入され，移送過程を経ることにより廃木材などの浮遊物質が除去され且つ廃棄物表面の異物などが洗い落とされるが，このため，高圧の水噴射ノズルと水中爆気槽などが連続反復的に作動し，沈澱した廃棄物が十分な時間にわたって均一に洗浄できるようにする。
【００３１】
この際，アスファルトによって汚染した洗浄物は，別途の水沈澱槽に一括して流入し，化学処理によって，固形化された油垢が収集される。
【００３２】
洗浄作業が完了すると，洗浄された廃棄物は，第２破砕および選別工程Ｓ１０８において，ジョークラッシャからなる２次破砕機１５に移送され，廃アスコンの分離に適したサイズに破砕される。その後，破砕された廃棄物は，２次選別機１６に投入されて約５０ｍｍの粒子サイズを有する廃棄物塊への最終選別作業が行われるが，必要に応じて，この過程で破砕廃棄物の粒状構造を改善するための強制再循環段階が設けられる。
【００３３】
一方，前記洗浄槽１４は，本考案の配置設計上または洗浄の完璧さを図るという観点から，図２ｂに示すように２次破砕機１５の後に設置し，あるいは２次破砕機１５を基準として複数化することもできる。
【００３４】
このような工程は，既に提示された建設廃棄物の一般化された工程を一部組み合わせたものであるが，本考案は，これに相次いで，２次選別機１６を経て所定の粒径単位を保つ建設廃棄物を上狭下広状の拡開された振動型ベース２０に案内した後，図５の調節部での如く，別途の動力発生手段と減速機によって連動する正逆回転部２１によって順次左右に分散あるいは拡散されるようにすることで，廃棄物がいずれか一箇所に偏重せず均一に広がって移送できるようにこれを分離整列する。
【００３５】
前記ベース２０に広がってスライド案内される建設廃棄物は，分離移送工程Ｓ１１０において，図３ａ，図３ｂの拡大図に示すように，いずれの場合も順次各移送路２２に投入されたまま一方に向かって進むが，各移送路２２は，場合によっては，コンベヤ連動システムを採用し，あるいは自重落下方式のスライドができるように一定角度の傾斜度を保つようにする。
【００３６】
この際，各移送路２２の上側には，感知工程Ｓ１１２を実行するために，廃アスコン塊を認識するための検出部が設けられる。検出部は，例えば，廃アスコン塊特有のアスファルト色相または化学反応によってこれを近距離検出して認識する電子式検出部２３として構成される。検出の精度のために，移送される廃棄物との高さ差が最大６０ｍｍ以下に保たれるようにすることで，測定の精度を維持する。
【００３７】
前記検出部２３の認識と同時に印加された電気的信号によって，移送路２２の両方あるいは一方に位置した複数の高圧空気噴射ノズル２４が，隣接の廃アスコン塊に向かって瞬間的に高圧の空気を噴射することにより，廃アスコン塊のみを選別的に移送路２２の外に逸脱させるが，前記検出部２３の印加信号による，隣接した廃アスコンの認識と噴射の同時的な連動は，制御計測と数値制御に応じて別途の操作者によって調節でき，本考案のように自動制御システムによって行われることもできる。
【００３８】
なお，本実施の形態においては，噴射ノズル２４から，高圧空気を噴射するように構成したが，噴射ノズル２４からは，他の高圧流体，例えば高圧の洗浄液を噴射して，廃アスコン塊を分離するように構成することもできる。
【００３９】
図３ａ及び図３ｂは，このような移送路を平面状態で部分拡大した図であり，図４ａ及び図４ｂは図３ａと図３ｂの立体斜視図である。図３ａに示すように，１つの移送路２２の幅を，おおよそ，破砕された廃棄物の１個当たり粒子サイズより多少余裕のあるサイズに設定し，その後両側壁を一定の幅だけ部分開放させておいた後，開放された部分に空気噴射ノズル２４を設けることにより，側壁の開放された露出部分を介して，検出及び特定された廃アスコン塊が外部に逸脱できるようにすることが好ましい。
【００４０】
この場合には，各移送路２２の下端に横方向の幅広い移送コンベヤ３０を配置し，上方から落下する廃アスコン塊を連続的に収容して積置できるようにする。
【００４１】
これとは異なり，図３ｂに示すように，側壁のない平面状態で多少広い幅をもって移動する移送路２２の左／右両側下方を選択して別途の排出シュート２５を設置した後，左／右両方に位置した空気噴射ノズル２４によって落下した廃アスコン塊が前記排出シュート２５に落下して移送積置できるように構成することもできる。
【００４２】
この際，検出部２３は，１つ設けられるか，あるいは１次と２次に区分して複数設けられるが，複数設けられる場合の２次検出部２３ａは，移送路２２の終端に位置し，最終分離された廃コンクリートの中に廃アスコンが残存するか否かを確認した後，これをベース２０に強制再循環させる役割を担当する。
【００４３】
前記検出部２３は，赤外線センサ及びフォトセンサの少なくとも一つからなり，あるいはこれらの複合的な構成からなるが，必要に応じてはアスコン表面の物性検出のためのタッチセンサによっても代替できる。
【００４４】
また，色相の鮮明度のために，アスファルトとの反応により廃コンクリートと区分される色相が再現できるように，別途の化学材塗布工程が設けられることも可能である。
【００４５】
これと共に，前記空気噴射ノズル２４は，電子式ソレノイド方式の開閉手段を備えるもので，ピストン出没方式のエアシリンダで代替転換されることも可能である。
【００４６】
このような本考案の全工程は，作業者によって容易に判読できるように別途のスクリーンモニタ４０に表示されるので，外部制御が可能である。
【００４７】
このような各過程を経て分離排出された廃アスコンと廃コンクリートは，それぞれ別途に収集されて保管された後リサイクルできるようにする。
【００４８】
以上，本考案は好適な実施例によって説明されたが，これらの実施例は本考案の理解を助けるための例示に過ぎない。よって，本考案はこれらの実施例に制限されるものではない。
【図面の簡単な説明】
【００４９】
【図１】本考案において廃アスコンの選別分離のための全工程の手順を示す流れ図である。
【図２ａ】図１の工程手順によって運営される分離装置の配置構成による実施例を示す図である。
【図２ｂ】図１の工程手順によって運営される分離装置の配置構成による実施例を示す図である。
【図３ａ】図２ａの要部を拡大して示す図である。
【図３ｂ】図２ｂの要部を拡大して示す図である。
【図４ａ】図３ａの一部構成の立体斜視図である。
【図４ｂ】図３ｂの一部構成の立体斜視図である。
【図５】本考案において破砕された建設廃棄物の分離整列のための調節部を示す斜視図である。
【符号の説明】
【００５０】
１０  ホッパー
１１  １次破砕機
１２  磁選機
１３  １次選別機
１４  洗浄槽
１５  ２次破砕機
１６  ２次選別機
２０  ベース
２１  正逆回転部
２２  移送路
２３  検出部
２４  空気噴射ノズル
２５  排出シュート
３０  移送コンベヤ
４０  スクリーンモニタ
【図１】
0003103593.tif 000003
【図２ａ】
0003103593.tif 000004
【図２ｂ】
0003103593.tif 000005
【図３ａ】
0003103593.tif 000006
【図３ｂ】
0003103593.tif 000007
【図４ａ】
0003103593.tif 000008
【図４ｂ】
0003103593.tif 000009
【図５】
0003103593.tif 000010